(57)【要約】    【構成】  リモートコントロール操作器２８に備える１つの設定モード選択ボタン３２の操作により、複数の設定モードから目的の設定モードを選択し、表示装置２６にその設定モードを表示するとともに、不揮発性メモリ１６から記憶された設定値を呼び出す。設定モードにおいて新たな設定値を記憶する際には、リモートコントロール操作器２８の操作ボタン、たとえば音量ボタン３６の操作により音量値を変更し、設定モード選択ボタン３２を３秒以上操作することにより記憶させる。    【効果】  少ないボタン数でより多くの機能の最適値を設定できる。【選択図】  図１
2005086463.tif 000002
【特許請求の範囲】
【請求項１】
複数の操作ボタンと、１つの設定モード選択ボタンとを有するリモートコントロール操作器を用いる、オーディオビデオ機器であって、
前記設定モード選択ボタンの操作に応答して設定モードを表示する設定モード表示手段、
前記表示された設定モードで前記操作ボタンの操作に応じて設定値を変更する変更手段および、
前記表示設定モード毎に設定値を記憶する記憶手段を備える、オーディオビデオ機器。
【請求項２】
前記記憶手段は、前記設定モード選択ボタンが所定時間以上操作されたとき記憶する、請求項１記載のオーディオビデオ機器。
【発明の詳細な説明】
【技術分野】
【０００１】
本発明は、リモートコントロール（以下、リモコンと呼ぶ）操作器を用いるオーディオビデオ（以下、ＡＶと呼ぶ）機器に関し、特にたとえば音量、音質、および画質などについて、異なる使用者毎に最適値を設定し、その最適値でＡＶ機器を動作させる、リモコン操作器を用いるＡＶ機器に関する。
【背景技術】
【０００２】
従来のこの種のリモコン操作器を備えたテレビジョン受像機の一例が、特許文献１に開示されている。
【０００３】
特許文献１のテレビジョン受像機では、複数の操作ボタン毎に、固有の設定値を割り当てることができる。したがって、１つのボタンを押すとそのボタンに固有の設定値が再現されることになり、各ボタンをユーザに割り当てることによって、１回のボタン操作で、そのユーザの最適値をテレビジョン受像機に設定することができる。
【特許文献１】特開２０００―１９７１６２号公報［Ｈ０４Ｑ９／００，Ｈ０４Ｎ５／００，Ｈ０４Ｑ９／０２］
【発明の開示】
【発明が解決しようとする課題】
【０００４】
特許文献１の従来技術では、ボタン数が設定可能な機能の数とともに増加してしまい、機能数を増加すればリモコン操作器が高価になるとともに、操作も煩雑になってしまう。
【０００５】
それゆえに、この発明の主たる目的は、少ないボタン数でより多くの機能の最適値を設定できるリモコン操作器を用いるＡＶ機器を提供することである。
【課題を解決するための手段】
【０００６】
請求項１の発明は、複数の操作ボタンと、１つの設定モード選択ボタンとを有するリモートコントロール操作器を用いる、オーディオビデオ機器であって、設定モード選択ボタンの操作に応答して設定モードを表示する設定モード表示手段、表示された設定モードで操作ボタンの操作に応じて設定値を変更する変更手段および、表示設定モード毎に設定値を記憶する記憶手段を備える、オーディオビデオ機器である。
【０００７】
請求項１の発明では、リモコン操作器に１つの設定モード選択ボタンを配置し、設定モード選択ボタンの操作によって表示装置上に設定モードを表示し、設定モード毎に記憶されている設定状態を呼び出す。設定モード表示中に、リモコン操作器上の操作ボタンを操作して、音調整値および／または映像調整値等を変更し、該当する設定モードでの新たな設定値として記憶することができる。
【０００８】
請求項２の発明は、記憶手段は、設定モード選択ボタンが所定時間以上操作されたとき記憶する、請求項１記載のオーディオビデオ機器である。
【０００９】
請求項２の発明では、設定モード選択ボタンを通常より長い一定時間（たとえば３秒間）の押圧に対しては、そのときの音量、音質、映像等の状態設定値をたとえば不揮発性メモリに記憶する。したがって、１つの設定モード選択ボタンがさらに記憶指示ボタンとして兼用されるため、リモコン操作器のボタン数が削減できる。
【発明の効果】
【００１０】
この発明によれば、１つの設定モード選択ボタンを用いて複数の設定モードを個別に選択し、各設定モード毎に異なる設定値（調整値）を設定し、さらにはその設定値を呼び出すことが可能であるため、各ユーザ毎に最適値を設定できるようにしても、リモコン操作器に配置するボタンの数を減らすことができ、リモコン操作器のコストダウンにつながり、また操作が簡潔となる。
【００１１】
この発明の上述の目的、その他の目的、特徴および利点は、図面を参照して行う以下の実施例の詳細な説明から一層明らかとなろう。
【発明を実施するための最良の形態】
【００１２】
図１に示す実施例のテレビジョン受像機１０は、リモコン操作器２８から発信された赤外線制御信号を受信する受光部１２を備え、受光部１２は受信した光信号を電気信号に変換してマイクロコンピュータ１４（以下、マイコンと呼ぶ）に与える。マイコン１４は入力された電気信号に対応する制御信号を音声処理回路１８、または映像処理回路２４に送出する。音声処理回路１８はマイコン１４から送出された制御信号により音量のＵＰ／ＤＯＷＮや音質などの音調整値の調節を行い、スピーカ２０、２２から出力される音を制御する。一方、映像処理回路２４はマイコン１４から送出された制御信号によりコントラスト、ブライトネス等の映像調整値を変化させ、表示装置２６に表示される映像を制御する。これらの操作が終了した時点での制御データは不揮発性メモリ１６に記憶され、再び操作が行われるまでそのデータは変更されない。
【００１３】
なお、図１においてテレビジョン受像機１０のほかの部分、たとえばチューナやＩＦ回路などは図示を省略している。
【００１４】
図２に示されるリモコン操作器２８は、テレビジョン受像機１０を遠隔操作するために複数の操作ボタンを備えている。電源ボタン３０はテレビジョン受像機１０の電源をＯＮ／ＯＦＦする。チャネルボタン群３４は各々のボタンが１つのチャネルに対応しており、各ボタンの押圧により各チャネルをダイレクト選局する。音量ボタン３６は通常状態では音量を連続的にＵＰ／ＤＯＷＮし、メニュー画面表示状態ではメニュー選択ボタンとして機能する。チャネルボタン３８は通常状態では連続的に前後のチャネルへＵＰ／ＤＯＷＮし、メニュー画面表示状態ではそれぞれのメニューの制御データを操作するボタンとして機能する。メニューボタン４０は音調整値や映像調整値を変更する場合に表示装置２６上にメニュー画面を表示させるためのボタンである。決定ボタン４２はメニューや調整値を決定するときに操作するボタンであり、この決定ボタン４２を押すとメニュー画面が消え、通常画面へと戻る。
【００１５】
この実施例においては、リモコン操作器２８に１つの設定モード選択ボタン３２が配置される。この設定モード選択ボタン３２は循環機能を有し、複数の設定モードから目的の設定モードを選択でき、それぞれの設定モードに状態を記憶したり、記憶された状態を呼び出すことが可能である。
【００１６】
以下に、図３のフロー図を参照して、音調整値のうち音量を変更して現在の状態として、記憶するときの動作を説明する。
【００１７】
テレビジョン受像機１０の電源がＯＮになっており、表示装置２６が表示されている状態で、かつ設定モードでない状態からスタートする。
【００１８】
ステップＳ１では設定モード選択ボタン３２が押圧されたかどうかを判断する。押圧されたのであれば、ステップＳ３に進み、マイコン１４は映像処理回路２４のＯＳＤ回路（オンスクリーン表示回路：図示せず）を用いて、図４（ａ）に示すように、設定モードを表示するとともに、“３秒以上押し続けると記憶します。”のようなメッセージを表示する。この設定モードの表示を見ることで現在どのモードであるかを知ることができる。ステップＳ５において、各モード毎に設定されている音調整値および映像調整値を呼び出す。目的のモードであればステップＳ５以降特にボタンの操作は必要とせず、そのままの音、映像状態で視聴することとなる。
【００１９】
たとえばここで音量設定を変更したい場合には、ステップＳ７において音量ボタン３６の操作が必要となり、ＹＥＳであればステップＳ９に進み音量値が変更される。なお音量調節の際には図４（ｂ）のような設定画面が表示装置２６上に表示される。ステップＳ１１では音量の調節が終わった後に、設定モード選択ボタン３２が操作されたかどうか判断し、ＮＯであれば音量を変更した状態で視聴を続け、ＹＥＳであればステップＳ１３に進み、設定モード選択ボタン３２の押圧時間が３秒以上であるかどうかを判断する。ステップＳ１３で３秒以上の押圧が無ければ、設定モード選択ボタン３２の循環機能により次の設定モードへ移る。ステップＳ１３で３秒以上の押圧がＹＥＳであれば、ステップＳ１５において、その音量を設定モードの新しい設定として、不揮発性メモリ１６に記憶する状態記憶処理を行う。この状態記憶処理が終了すると表示装置２６に図４（ｃ）に示すような“記憶しました”等のメッセージを表示する。このとき不揮発性メモリ１６では図５に示すように、該当するモードの変更されたメニューの設定値が更新され、保存される。各設定モードでの設定を変更するには以上のような動作を行う。
【００２０】
ステップＳ３で表示され、ステップＳ５で呼び出された設定モードが目的の設定モードではない場合、ステップＳ７で音量操作を行わず、ステップＳ１７に進み、設定モード選択ボタン３２を押圧し、ＹＥＳの経路をたどり、ステップＳ１９で次の設定モードを呼び出す。ステップＳ２１では設定モードであるか否かを判断する。例えば、ノーマルモード、設定モード１、設定モード２が循環している場合には、設定モード２からノーマルモードに移ると状態記憶のループから一度外れることになるため、ステップＳ２１でＮＯの経路をたどり、スタート直後の状態へ戻る。
【００２１】
図３のフロー図を用いて、音量値を変更して設定状態を変更する場合について述べたが、リモコン操作器２８のメニューボタン４０を用いて、図４（ｄ）、あるいは図４（ｅ）のようなメニュー画面を表示装置２６に表示させ、他の音調整値や映像調整値を変更し、設定状態を書きかえることも可能である。
【００２２】
以上説明したように、この実施例によれば、１つの設定モード選択ボタン３２を用いて、複数の設定モードを選択でき、それぞれの設定モードで状態すなわち調整値ないしは設定値を記憶し、さらにはその設定モード毎の設定値を呼び出すことが可能である。
【００２３】
上述した実施例では、設定モードが２つの場合を説明したが、３つ以上の設定モードを設け、設定モード選択ボタンの循環機能によって設定モードを選択し、３つ以上の設定モードで個別に調整値を記憶することが可能である。
【００２４】
さらに、上記の実施例ではリモコン操作器を用いるテレビジョン受像機について説明したが、この発明は、他にも、たとえばプロジェクタ、ステレオなど、映像および／または音声の再生を行うＡＶ機器に同様に適用できる。
【図面の簡単な説明】
【００２５】
【図１】本発明の一実施例の概略構成を示すブロック図である。
【図２】実施例のリモートコントロール送信機の概略図である。
【図３】実施例の設定モード選択ボタンを用いた音量値記憶の動作を示すフロー図である。
【図４】表示装置に表示される表示例であり、（ａ）は設定モードを呼び出したときの表示、（ｂ）は音量ボタンを操作しているときの表示、（ｃ）音質値調整のときのメニュー画面、（ｄ）映像値調整のときのメニュー画面である。
【図５】実施例の不揮発性メモリの記憶状態の一例を示す図解図である。
【符号の説明】
【００２６】
１０…テレビジョン受像機
１２…受光部
１４…マイコン
１６…不揮発性メモリ
１８…音声処理回路
２４…映像処理回路
２６…表示装置
２８…リモコン操作器
３２…設定モード選択ボタン
３６…音量ボタン
４０…メニューボタン
４２…決定ボタン
【図１】
2005086463.tif 000003
【図２】
2005086463.tif 000004
【図３】
2005086463.tif 000005
【図４】
2005086463.tif 000006
【図５】
2005086463.tif 000007